(57)【要約】【課題】使用する色インクの種類や数に変更が生じた場合であっても、予め用意された少数のカラー画像との対比において、実際の印刷物の色合いに近い印刷イメージをユーザに提示することを可能とする画像表示装置及びそれを用いた印刷装置を提供する。【解決手段】サンプル画像の雛型となるカラー画像を記憶する記憶部と、前記記憶部に記憶されたカラー画像から一組のグレースケール画像を作成するグレースケール画像作成部と、前記印刷装置に装着された複数の色インクの色値を取得する制御部と、前記制御部により取得された複数の色値をＲＧＢ色空間上の色値に変換する色変換部と、前記色変換部により変換されたＲＧＢ色空間上の複数の色値を前記一組のグレースケール画像の階調値にそれぞれ対応づけて着色する着色部と、前記一組のグレースケール画像を重ね合わせた画像をサンプル画像として表示し、前記着色された複数の画像を重ね合わせた画像を印刷イメージ画像として表示する表示部とを備える。【選択図】図１
0003123664.tif 000002
【実用新案登録請求の範囲】
【請求項１】
印刷装置に装着された複数の色インクにより多色原稿画像を印刷した際の印刷物の色合いを確認するためのサンプル画像を表示する画像表示装置において、
一組のグレースケール画像を記憶するグレースケール画像記憶部と、
前記印刷装置に装着された複数の色インクの色値を取得する制御部と、
前記制御部により取得された複数の色インクの色値をＲＧＢ色空間上の色値に変換する色変換部と、
前記色変換部により変換されたＲＧＢ色空間上の色値と、前記一組のグレースケール画像を構成する各画素の階調値とに基づいて、前記一組のグレースケール画像を構成する各画素に対して着色を行うのに必要なＲＧＢ値を算出し、当該ＲＧＢ値に基づいて前記着色を行う着色部と、
前記着色された複数の前記グレースケール画像を重ね合わせた画像を前記サンプル画像として表示する表示部と、
を備えたことを特徴とする画像表示装置。
【請求項２】
前記着色部は、前記色変換部により変換されたＲＧＢ色空間上の各色値を各グレースケール画像の階調値の最小値に割り当て、前記割り当てられた各色値を前記各グレースケール画像の階調値の最大値で割ることによって階調幅を算出し、算出された階調幅と前記各グレースケール画像を構成する画素の階調値とから、前記一組のグレースケール画像を構成する各画素に対して着色を行うのに必要なＲＢＧ値を算出することを特徴とする請求項１に記載の画像表示装置。
【請求項３】
前記制御部は、前記印刷装置に装着された複数の色インクの色値として、Ｌ＊ａ＊ｂ＊色空間、ＸＹＺ色空間、ＲＧＢ色空間のうちいずれか一つの色空間上の色値を取得することを特徴とする請求項１又は２に記載の画像表示装置。
【請求項４】
前記制御部は、前記印刷装置に装着された複数の色インクの色値を前記印刷装置に装着されたインクボトルに設けられた記憶手段から読み取ることを特徴とする請求項乃至３のいずれかに記載の画像表示装置。
【請求項５】
前記サンプル画像の雛型となるカラー画像を記憶するカラー画像記憶部と、当該カラー画像記憶部に記憶されたカラー画像から前記一組のグレーサンプル画像を作成するグレースケール画像作成部とをさらに備えたことを特徴とする請求項１乃至４のいずれか一つに記載の画像表示装置。
【請求項６】
前記グレースケール画像作成部は、前記印刷装置に装着された複数の色インクに対応した色変換ＬＵＴを参照して前記一組のグレースケール画像を生成することを特徴とする請求項５に記載の画像表示装置。
【請求項７】
複数のインクボトルを備え、前記複数のインクボトルのそれぞれに装着された色インクを用いて印刷を行う印刷装置であって、
一組のグレースケール画像を記憶し、複数の色インクの色値を取得し、取得された複数の色インクの色値をＲＧＢ色空間上の色値に変換し、変換されたＲＧＢ色空間上の複数の色値と、前記一組のグレースケール画像を構成する各画素の階調値とに基づいて、前記一組のグレースケール画像を構成する各画素に対して着色を行うのに必要なＲＧＢ値を算出し、当該ＲＧＢ値に基づいて前記着色を行い、前記着色された複数の前記グレースケール画像を重ね合わせた画像を前記サンプル画像として表示する画像表示表示装置に対して送信する前記色インクの色値を記憶する色値記憶部を、前記インクボトルに設けたことを特徴とする印刷装置。
【考案の詳細な説明】
【技術分野】
【０００１】
本考案は、多色印刷機のプリンタドライバのユーザインターフェース上にサンプル画像を表示する画像表示装置及びそれを用いた印刷装置に関する。
【背景技術】
【０００２】
複数の色インクを装着可能な多色印刷機を用いて多色原稿画像の印刷を行う場合、ユーザは、これら複数の色インクを用いることによって最終的にどのような色合いの印刷物が得られるのかを確認する必要がある。そのための一つの方法は、多色印刷機のプリンタドライバのユーザインターフェース上で、画像表示装置に予め記憶されたサンプル画像を参照することによって実際の印刷物の色合いを評価することである。
【０００３】
このような画像表示装置においては、通常、予め想定される複数の色インクについての典型的なサンプル画像を作成しておく。これによって、多色印刷機に想定内の色インクが装着された場合に、ユーザは、これらの色インクの組み合わせから成るサンプル画像をユーザインターフェース上で参照することによって、実際に得られるであろう印刷物の色合いを予め評価することが可能となる。
【０００４】
例えば、従来の２色刷り印刷機において、使用される色インクとして黒、赤、青、緑の４色が想定された場合、（黒、赤）、（青、赤）、（緑、赤）の色組み合わせのサンプル画像を予め作成しておく。このとき、これら４色のうちの２色を実際の印刷に使用する場合には、ユーザは、画像表示装置に予め記憶されたこれらのサンプル画像のうちから実際の印刷物の色合いを再現するサンプル画像を選択することが可能となる。
【非特許文献１】株式会社インフォメディア著（２色デザイン＆テクニック  解説編）、初版、株式会社ワークスコーポレーション  ２００３年３月１日
【特許文献１】特開平０６−１０３３４４
【考案の開示】
【考案が解決しようとする課題】
【０００５】
しかしながら、上記の画像表示装置においては、上記４色の色インク以外の色インクを使用した場合であっても、ユーザは、上記４色の色インクの組み合わせから成るサンプル画像の中からサンプル画像を選択することしかできないので、選択されたサンプル画像は実際の印刷物の色合いとはかけ離れたものになってしまうといった課題がある。
【０００６】
また、このような状況に対処するために、予め想定可能なすべての色インクの組み合わせについてサンプル画像を作成することを考えた場合には、サンプル画像の作成に非常に手間がかかると共に、作成されたサンプル画像を格納するために画像表示装置内に大きなメモリを必要とするといった課題が新たに生じる。
【０００７】
本考案は、上記の課題を鑑みて為されたものであり、その目的は、使用する色インクの種類や数に変更が生じた場合であっても、予め用意された少数のカラー画像からサンプル画像を作成することによって、実際の印刷物の色合いに近い印刷イメージ画像をユーザに提示することを可能とする画像表示装置及びそれを用いた印刷装置を提供することにある。
【課題を解決するための手段】
【０００８】
請求項１に記載の画像表示装置は、印刷装置に装着された複数の色インクにより多色原稿画像を印刷した際の印刷物の色合いを確認するためのサンプル画像を表示する画像表示装置において、一組のグレースケール画像を記憶するグレースケール画像記憶部と、前記印刷装置に装着された複数の色インクの色値を取得する制御部と、前記制御部により取得された複数の色インクの色値をＲＧＢ色空間上の色値に変換する色変換部と、前記色変換部により変換されたＲＧＢ色空間上の色値と、前記一組のグレースケール画像を構成する各画素の階調値とに基づいて、前記一組のグレースケール画像を構成する各画素に対して着色を行うために必要なＲＧＢ値を算出し、当該ＲＧＢ値に基づいて前記着色を行う着色部と、前記着色された複数の前記グレースケール画像を重ね合わせた画像を前記サンプル画像として表示する表示部と、を備えたことを特徴とする。
【０００９】
請求項２に記載の画像表示装置は、請求項１に記載の画像表示装置において、前記着色部は、前記色変換部により変換されたＲＧＢ色空間上の各色値を各グレースケール画像の階調値の最小値に割り当て、前記割り当てられた各色値を前記各グレースケール画像の階調値の最大値で割ることによって階調幅を算出し、算出された階調幅と前記各グレースケール画像を構成する画素の階調値とから、前記一組のグレースケール画像を構成する各画素に対して着色を行うのに必要なＲＢＧ値を算出することを特徴とする。
【００１０】
請求項３に記載の画像表示装置は、請求項１又は２に記載の画像表示装置において、前記印刷装置に装着された複数の色インクの色値として、Ｌ＊ａ＊ｂ＊色空間、ＸＹＺ色空間、ＲＧＢ色空間のうちいずれか一つの色空間上の色値を取得することを特徴とする。
【００１１】
請求項４に記載の画像表示装置は、請求項１乃至３のいずれか一つに記載の画像表示装置において、前記印刷装置に装着された複数の色インクの色値を前記印刷装置に装着されたインクボトルに設けられた記憶手段から読み取ることを特徴とする。
【００１２】
請求項５に記載の画像表示装置は、請求項１乃至４のいずれは一つに記載の画像表示装置において、前記サンプル画像の雛型となるカラー画像を記憶するカラー画像記憶部と、当該カラー画像記憶部に記憶されたカラー画像から前記一組のグレーサンプル画像を作成するグレースケール画像作成部とをさらに備えたことを特徴とする。
【００１３】
請求項６に記載の画像表示装置は、請求項５に記載の画像表示装置において、前記グレースケール画像作成部は、前記印刷装置に装着された複数の色インクに対応した色変換ＬＵＴを参照して前記一組のグレースケール画像を生成することを特徴とする。
【００１４】
請求項７に記載の印刷装置は、複数のインクボトルを備え、前記複数のインクボトルのそれぞれに装着された色インクを用いて印刷を行う印刷装置であって、
一組のグレースケール画像を記憶し、複数の色インクの色値を取得し、取得された複数の色インクの色値をＲＧＢ色空間上の色値に変換し、変換されたＲＧＢ色空間上の複数の色値と、前記一組のグレースケール画像を構成する各画素の階調値とに基づいて、前記一組のグレースケール画像を構成する各画素に対して着色を行うのに必要なＲＧＢ値を算出し、当該ＲＧＢ値に基づいて前記着色を行い、前記着色された複数の前記グレースケール画像を重ね合わせた画像を前記サンプル画像として表示する画像表示表示装置に対して送信する前記色インクの色値を記憶する色値記憶部を、前記インクボトルに設けたことを特徴とする。
【考案の効果】
【００１５】
本考案によれば、カラー画像から一組のグレースケール画像を作成し、印刷装置に装着された複数の色インクの色値を画像表示装置の色空間であるＲＧＢ色空間上の色値に変換し、これらＲＧＢ色空間上の複数の色値を一組のグレースケール画像の階調値にそれぞれ対応づけて着色し、これら着色された複数の画像を重ね合わせた画像を印刷イメージ画像として画像表示装置のユーザインターフェース上に表示させることによって、予め想定した複数の色インクの組み合わせごとにサンプル画像を用意する手間が省けると共に、プリンタドライバのプログラムを簡素化することができる。
【考案を実施するための最良の形態】
【００１６】
以下、本考案の実施形態を図面に基づいて説明する
＜第１の実施形態＞
図１は本考案の第１の実施形態に係る画像表示装置２００と画像印刷装置のブロック図である。ここでは、ユーザは、画像表示装置２００で多色原稿の画像データ（以降、多色原稿画像データ）を作成した後、ネットワークＬを介して多色原稿画像データを受信して印刷する孔版印刷装置１００を例にして説明する。
【００１７】
孔版印刷装置１００は、製版部１０２、印刷部１０３、制御部１０４、外部インターフェース部１０５、操作パネル１０６等を備えた多色印刷装置である。
【００１８】
印刷部１０３は、異なる色インクの版胴を装着可能な第１装着部（版胴１０３ａ）と第２装着部（版胴１０３ｂ）とを備える。このように、本実施形態においては、２色刷り印刷を想定するが、本発明は一般の多色刷り印刷にも適用可能である。
【００１９】
制御部１０４は、処理装置（ＣＰＵ）、ＲＡＭ、ＲＯＭ（図示せず）等で構成され、処理装置は、記憶手段（図示せず）に記憶されたプログラムやデータをＲＡＭに読み出して処理し、処理結果に基づいて孔版印刷装置１００全体を制御する。
【００２０】
操作パネル１０６は、ユーザから指示を受けるためのタッチパネル、キーボード、スイッチ（図示せず）等で構成される入力部と、ユーザに各種情報を表示するための液晶パネルやランプ（図示せず）等で構成される表示部を備える。
【００２１】
外部インターフェース部１０５は、孔版印刷装置１００がネットワークＬを介して原稿作成装置２００と接続するための機能を備え、後述するインク色情報を含む各種データを画像表示装置２００に送信する。
【００２２】
印刷部１０３は、版胴を装着できる２つの装着位置（第１装着位置及び第２装着位置）を備えており、第１装着位置、第２装着位置の順序で各装着位置に装着された版胴に印刷用紙を押圧して、各版胴から供給される色インクが、着版された孔版原紙穿孔を介して印刷用紙に転写されることで多色印刷する。以降、第１装着位置に装着される版胴を版胴１０３ａ、第２装着位置に装着される版胴を版胴１０３ｂとする。
【００２３】
また、各版胴には色インクを供給するインクボトルが装着される。制御部１０４は、例えば、インクボトルに貼り付けられたデータタグ等から読み取り手段を介して色インク情報（インク色名及びＬ*ａ*ｂ*値）を読み取り、記憶手段に記憶する。以降、版胴１０３ａの色インクを色インク１、版胴１０３ｂの色インクを色インク２と称する。
【００２４】
ここで、Ｌ*ａ*ｂ*値とは、３つのパラメータＬ*，ａ*，ｂ*の組（Ｌ*，ａ*，ｂ*）で表される表色系における座標値のことであり、パラメータＬ*は明度（明るさ）を表し、パラメータａ*及びｂ*は色度（色相＋彩度）を表す。パラメータＬ*は０（暗い）〜１００（明るい）の値をとり、パラメータａ*及びｂ*は共に、−１００〜１００の値をとる。この表色系で表される色空間のことを以降ではＬ*ａ*ｂ＊色空間と称する。
【００２５】
なお、Ｌ*ａ*ｂ*値は、分光式色差計等の測色器を用いて予め測定しておく。該測定値は、実際に用いる印刷用紙に対して実際にインクを塗布する際の塗布量、印圧等の条件下で該インクを塗布したときのＬ*ａ*ｂ*値である。
【００２６】
孔版印刷装置１００とネットワークＬを介して接続される画像表示装置２００は、例えば、パーソナルコンピュータにより実現され、各種情報を入力するキーボード、マウス、タッチパネル等の入力部２０１、画像データ等を含む各種データを表示する液晶パネル等のユーザインターフェース（表示部）を有する出力部２０２、外部インターフェース部２１０、制御部２２０、データ記憶部２３０、プリンタドライバ（サンプル画像作成部）２４０、アプリケーションプログラムを記憶するプログラム記憶部２５０、該アプリケーションプログラムに基づき多色原稿画像データを作成する原稿作成部２６０等を備える。
【００２７】
外部インターフェース部２１０は、画像表示装置２００がネットワークＬを介して孔版印刷装置１００とを接続する機能を備え、原稿作成部２６０にて作成された多色原稿画像データを含む各種データを孔版印刷装置１００に送信する。
【００２８】
制御部２２０は、処理装置（ＣＰＵ）、ＲＡＭ、ＲＯＭ（図示せず）等で構成され、処理装置は、ＲＯＭやプログラム記憶部２５０に記憶されたアプリケーションプログラムやデータをＲＡＭに読み出して各種の処理を行い、それらの処理結果に基づいて画像表示装置２００全体を制御する。
【００２９】
データ記憶部２３０は、プリンタドライバ２４０にて作成されるサンプル画像の元となるカラー画像を記憶するカラー画像記憶部２３１と、該サンプル画像を作成するために用いられる色変換ＬＵＴ（ルックアップテーブル）を記憶する色変換ＬＵＴ記憶部２３２と、カラー画像から作成されたグレースケール画像を記憶するグレースケール画像記憶部２３３等を備える。
【００３０】
プリンタドライバ（サンプル画像作成部）２４０は、グレースケール画像作成部２４１、色変換部２４２、着色部２４３等を備える。
【００３１】
グレースケール画像作成部２４１は、色変換ＬＵＴ記憶部２３２に記憶された色変換ＬＵＴを用いてカラー画像記憶部２３１に記憶されたカラー画像を色分解処理（分版処理）することによって、第１及び第２のグレースケール画像２３３−ａ及び２３３−ｂを作成する。
【００３２】
例えば、あるカラー画像を、黒赤（赤黒）分版、青赤（赤青）分版、緑赤（赤緑）分版処理することを想定した場合、色変換ＬＵＴ記憶部２３２に記憶された黒赤（赤黒）分版用の色変換ＬＵＴを用いて、該カラー画像から黒版用のグレースケール画像と赤版用のグレースケール画像とを作成する。同じく、色変換ＬＵＴ記憶部２３２に記憶された青赤（赤青）分版用の色変換ＬＵＴを用いて、該カラー画像から青版用のグレースケール画像と赤版用のグレースケール画像とを作成し、緑赤（赤緑）分版用の色変換ＬＵＴを用いて、該カラー画像から緑版用のグレースケール画像と赤版用のグレースケール画像とを作成する。これらのグレースケール画像はそれぞれ、０（黒）から２５５（白）までの階調値を有する。この場合には、１枚のカラー画像に対して６つの色変換ＬＵＴが必要となるが、この数は必要に応じて変更可能である。また、カラー画像も複数枚用意しておくことも可能であるが、以下では、１枚のカラー画像についての画像表示処理について説明する。
【００３３】
上記サンプル画像の作成の際に、誤差拡散、網点処理や強調・シェープアップ処理等の画像処理を施せば、カラーサンプル画像の特徴（写真、文字等の特徴）を生かした色再現も可能となる。
【００３４】
上記の例では、版胴１０３ａ用の第１グレースケール画像２３３−ａとして、黒版用のグレースケール画像、青版用のグレースケール画像、緑版用のグレースケール画像が得られ、版胴１０３ｂ用の第２グレースケール画像２３３−ｂとして、赤版用のグレースケール画像が得られることになる。
【００３５】
このとき作成された黒版用のグレースケール画像と赤版用のグレースケール画像とを重ね合わせた画像を黒赤印刷用のサンプル画像、青版用のグレースケール画像と赤版用のグレースケール画像とを重ね合わせた画像を青赤印刷用のサンプル画像、緑版用のグレースケール画像と赤版用のグレースケール画像とを重ねあわせた画像を緑赤印刷用のサンプル画像としたとき、グレースケール画像作成部２４１は、装着された色インク１及び色インク２のインク色情報に対応したサンプル画像（例えば、色インク１が黒系の色インク、色インク２が赤系の色インクの場合には、黒赤印刷用のサンプル画像）を出力部２０２のユーザインターフェース上に表示する。
【００３６】
なお、色インクの色系の判別は、例えば、インク色情報中のＬ＊ａ＊ｂ＊値に基づいて行われる（ある範囲のＬ＊ａ＊ｂ＊値は赤系、別の範囲のＬ＊ａ＊ｂ＊値は青系など）が、インク色情報中のインク色名に基づいて行われてもよい。その場合、インク色名には、色系を示す情報が含まれるようにしておく。
【００３７】
色変換部２４１は、孔版印刷装置１００の第１装着位置に装着された版胴１０３ａの色インク１のインク色情報としてインク色名とそのＬ*ａ*ｂ*値（これを（Ｌ*，ａ*，ｂ*）＝(Ｌ１*，ａ１*，ｂ１*)とする）と、第２装着位置に装着された版胴１０３ｂの色インク２のインク色情報としてインク色名とそのＬ*ａ*ｂ*値（これを（Ｌ*，ａ*，ｂ*）＝(Ｌ２*，ａ２*，ｂ２*) とする）とを外部インターフェース２１０を介して孔版印刷装置１００から取得し、各Ｌ*ａ*ｂ*値を次の２つの変換式：
（Ｌ*ａ*ｂ*色空間からＸＹＺ色空間への変換式）
【数１】
0003123664.tif 000003
【００３８】
（ＸＹＺ色空間からＲＧＢ色空間への変換式）
【数２】
0003123664.tif 000004
【００３９】
に基づき、出力部２０２の色空間であるＲＧＢ色空間の値（これを（Ｒ，Ｇ，Ｂ）と書く）に変換する。ここで、Ｘγ，Ｙγ，Ｚγはそれぞれ、対象とする物体色と同一照明下の完全拡散反射面の３刺激値を表し、通常、Ｙγ＝１００と規格化される。以降では、版胴１０３ａの色インク１のＬ*ａ*ｂ*値(Ｌ１*，ａ１*，ｂ１*) の変換後の値を（Ｒ１，Ｇ１，Ｂ１）、版胴１０３ｂの色インク２のＬ*ａ*ｂ*値(Ｌ２*，ａ２*，ｂ２*)の変換後の値を（Ｒ２，Ｇ２，Ｂ２）とする。
【００４０】
着色部２４３は、色変換部２４２によって算出された版胴１０３ａの色インク１のＲＧＢ値（Ｒ１，Ｇ１，Ｂ１）及び版胴１０３ｂの色インク２のＲＧＢ値（Ｒ２，Ｇ２，Ｂ２）を第１グレースケール画像２３１−ａ及び第２グレースケール画像２３１−ｂの階調値（０〜２５５段階）に対応付けて着色する着色部２３２等を備える。
【００４１】
詳細には、着色部２４３は、版胴１０３ａの色インク１のＲＢＧ値（Ｒ１，Ｇ１，Ｂ１）を第１グレースケール画像２３１ａ−１の階調値０に対応させる。Ｒ，Ｇ，Ｂとも階調値の最大値は２５６なので、例えば、（Ｒ１，Ｇ１，Ｂ１）＝（６４，１２８，３２）の場合には、Ｒ，Ｇ，Ｂの階調幅は、それぞれ、６４÷２５６＝０．２５、１２８÷２５６＝０．５、３２÷２５６＝０．１２５となる。従って、第１グレースケール画像２３１ａ−１の階調値が１００の画素のＲＧＢ値は（Ｒ，Ｇ，Ｂ）＝（１００×０．２５，１００×０．５，１００×０，１２５）＝（２５，５０，１２．５）として算出される。このような計算を各画素について行うことによって、版胴１０３ａの色インク１のインク色情報（Ｌ＊ａ＊ｂ＊値）を用いて予め用意された第１グレースケール画像２３１ａ−１に着色する（これを着色画像１とする）。同様にして、版胴１０３ｂの色インク２のインク色情報（Ｌ＊ａ＊ｂ＊値）を用いて予め用意された第２グレースケール画像２３１ａ−２に着色する（これを着色画像２とする）。
【００４２】
このようにして作成された着色画像１と着色画像２とを重ね合わせることによって、ユーザの装着した色インク１及び色インク２に基づく最終的な着色画像を得る（これを印刷イメージ画像と称する）。この過程においては、例えば、ある画素（Ｐ１）に着目した場合に、着色画像１の画素（Ｐ１）のＲＧＢ値（Ｒ１（Ｐ１），Ｇ１（Ｐ１），Ｂ１（Ｐ１））と着色画像２の画素（Ｐ２）のＲＧＢ値（Ｒ１（Ｐ２），Ｇ１（Ｐ２），Ｂ１（Ｐ２））との間で各成分を比較し、小さい値を選択する。つまり、印刷イメージ画像の画素Ｐ１のＲＧＢ値を（Ｒ’，Ｇ’，Ｂ’）とすると、（Ｒ’，Ｇ’，Ｂ’）＝（ｍｉｎ（Ｒ１（Ｐ１），Ｒ１（Ｐ２）），ｍｉｎ（Ｇ１（Ｐ１），Ｇ１（Ｐ２））），ｍｉｎ（Ｂ１（Ｐ１），Ｂ１（Ｐ２）））となる。なお、このような選択は、実際の印刷に即した表示色をＲＧＢ色空間上で再現するために行われるものであって、色インクの３原色が減法混色の特徴を有することに基づくものである。
【００４３】
着色部２４３は、このような計算を全画素について行うことによって印刷イメージ画像を作成した後、該印刷イメージ画像を出力部２０２のユーザインターフェース上に表示させる。
【００４４】
原稿作成部２６０は、上述したアプリケーションプログラムに基づき２色原稿画像データを作成する。この２色原稿画像データは、例えば、グレースケール画像作成装置２４１により作成されたサンプル画像と着色部２３０により作成された印刷イメージ画像とを比較することによって、実際に得られるであろう印刷物の色合いを確認した後、装着された色インク１及び色インク２を用いた実際の印刷対象となるものである。
【００４５】
次に、上記のように構成された本実施形態に係る画像表示装置の動作手順を図２に示すフローチャートを参照して説明する。図２は、第１の実施形態に係る画像表示装置の処理手順を示すフローチャートである。
【００４６】
ユーザが、孔版印刷装置１００の印刷部１０３の版胴１０３ａ及び版胴１０３ｂにそれぞれ色インク１及び２の入ったインクボトルを装着すると処理が開始される。
【００４７】
ステップＳＴ１０において、制御部２２０は、外部インターフェース部２１０、ネットワークＬを介して、版胴１０３ａ及び版胴１０３ｂの色インク１及び色インク２のインク色名とＬ*ａ*ｂ*値をそれぞれ孔版印刷装置１００の制御部１０４から取得する。
【００４８】
この場合、制御部１０４は、印刷部１０３の第１装着部、第２装着部に装着された版胴を版胴１０３ａ，１０３ｂと認識し、色インク１及び色インク２のインク色情報を版胴１０３ａ及び版胴１０３ｂに設けた記憶手段を介して読み取る。本実施形態では、インク色情報としてインク色名とＬ＊ａ＊ｂ＊色空間におけるＬ*ａ*ｂ*値を取得する。また、印刷順序情報は第１装着部、第２装着部の順として記憶する。
【００４９】
ステップＳＴ２０において、色変換ＬＵＴ選択部２４２は、取得した色インク１のＬ＊ａ＊ｂ＊値（Ｌ１*，ａ１*，ｂ１*）と色インク２のＬ＊ａ＊ｂ＊値（Ｌ２*，ａ２*，ｂ２*）に基づき、色変換ＬＵＴ記憶部２３２に記憶された色変換ＬＵＴの中から最適な色変換ＬＵＴを選択する。例えば、版胴１０３ａに色インク１を黒系の色インク、版胴１０３ｂに色インク２を赤系の色インクが装着された場合には、色変換ＬＵＴ選択部は、黒赤分版用の色変換ＬＵＴを選択する。この色変換ＬＵＴの選択は、ユーザが好みに応じて行うようにも設定可能である。
【００５０】
ステップＳＴ３０において、グレースケール画像作成部２４１は、選択された色変換ＬＵＴに基づき、カラー画像記憶部２３１に記憶されたカラー画像を一組のグレースケール画像（第１グレースケール画像２３３−ａ及び第２グレースケール画像２３３−ｂに色分解する。詳細は上述した通りであるが、この場合には、黒版用のグレースケール画像と赤版用のグレースケール画像とが作成される。これら第１及び第２グレースケール画像２３３−ａ，２３３−ｂはグレースケール画像記憶部２３３に記憶される。
【００５１】
さらに、ステップＳＴ４０において、グレースケール画像作成部２４１は、作成された第１及び第２グレースケール画像２３３−ａ，２３３−ｂを重ね合わせることによって一枚のサンプル画像を作成する。このサンプル画像は、例えば、ＲＡＭ上に一時保管される。
【００５２】
ステップＳＴ５０において、色変換部２４２は、ステップＳＴ１０において取得された色インク１のＬ＊ａ＊ｂ＊値（Ｌ１*，ａ１*，ｂ１*）と色インク２のＬ＊ａ＊ｂ＊値（Ｌ２*，ａ２*，ｂ２*）を、（式１）及び（式２）を用いて、それぞれＲＧＢ値（Ｒ１，Ｇ１，Ｂ１），（Ｒ２，Ｇ２，Ｂ２）に変換する。
【００５３】
ステップＳＴ６０において、着色部２４３は、変換された色インク１のＲＧＢ値（Ｒ１，Ｇ１，Ｂ１）及び色インク２のＲＧＢ値（Ｒ２，Ｇ２，Ｂ２）をそれぞれ、第１及び第２グレースケール画像２３３−ａ，２３３−ｂの階調値０の画素のＲＧＢ値として設定し、第１及び第２グレースケール画像２３３−ａ，２３３−ｂの階調幅をそれぞれ、
【数３】
0003123664.tif 000005
【００５４】
として算出する。ここで、Γ（Ｒｉ）（ｉ＝１，２）はグレースケール画像２３３−ｉのＲ値の階調幅、Γ（Ｇｉ）（ｉ＝１，２）はグレースケール画像２３３−ｉのＧ値の階調幅、Γ（Ｂｉ）（ｉ＝１，２）はグレースケール画像２３３−ｉのＢ値の階調幅を表す。
【００５５】
次に、ステップＳＴ７０において、着色部２４３は、ステップＳＴ６０において算出された第１グレースケール画像２３３−ａの階調幅（Γ（Ｒ１），Γ（Ｇ１），Γ（Ｂ１））及び第２グレースケール画像２３３−ｂの階調幅（Γ（Ｒ２），Γ（Ｇ２），Γ（Ｂ２））に基づき、第１及び第２グレースケール画像２３３−ａ，２３３−ｂのそれぞれを構成する全画素のＲＧＢ値を、
【数４】
0003123664.tif 000006
【００５６】
として算出（着色）する。ここで、（ｊ，ｋ）は第１及び第２グレースケール画像２３３−ａ，２３３−ｂを構成する各画素（２次元）の座標を表す。いま、出力部２０２の表示画面がＮ２個の画素から成る正方形である場合、ｊ，ｋはそれぞれ１からＮまでの整数値をとる。ｐ（ｊ，ｋ）は座標（ｊ，ｋ）における階調値を表す。
【００５７】
そして、着色部２４３は、第１グレースケール画像２３３−ａを構成する全画素のＲＧＢ値（Ｒ１（ｐ（ｊ，ｋ）），Ｇ１（ｐ（ｊ，ｋ）），Ｂ１（ｐ（ｊ，ｋ）））（ｊ，ｋ＝１，．．．，Ｎ）に基づき、第１グレースケール画像２３３−ａを着色する（着色画像１）。同様に、着色部２４３は、第２グレースケール画像２３３−ｂを構成する全画素のＲＧＢ値（Ｒ２（ｐ（ｊ，ｋ）），Ｇ２（ｐ（ｊ，ｋ）），Ｂ２（ｐ（ｊ，ｋ）））（ｊ，ｋ＝１，．．．，Ｎ）に基づき、第２グレースケール画像２３３−ｂに着色する（着色画像２）。
【００５８】
さらに、ステップＳＴ８０において、着色部２４３は、上記のようにして着色された着色画像１及び着色画像２を
【数５】
0003123664.tif 000007
【００５９】
として重ね合わせることによって、印刷イメージ画像（Ｒ’（ｐ（ｊ，ｋ）），Ｇ’（ｐ（ｊ，ｋ）），Ｂ’（ｐ（ｊ，ｋ）））（ｊ，ｋ＝１，．．．，Ｎ）を作成する。
【００６０】
ステップＳＴ９０において、制御部２２０は、ステップＳＴ８０で作成された印刷イメージ画像とステップＳＴ４０で作成されたサンプル画像を出力部２０２のユーザインターフェース（表示部）上に表示させる。
【００６１】
その後、制御部２２０は、ステップＳＴ８０において作成された印刷イメージ画像をピットマップデータとしてデータ記憶部２３０に保存する。これにより、再度同じ色インク１，２が版胴１０３ａ及び１０３ｂに装着された場合には、制御部２２０は、この印刷イメージ画像をデータ記憶部２３０からＲＡＭ上に単に呼び出せばよい。
【００６２】
図３は、サンプル画像と印刷イメージ画像とを表示した出力部２０２のユーザインターフェースの一例であり、本考案に係る画像印刷装置により分版印刷を行う際に表示される画面を表す。
【００６３】
図の左上の「原稿」は、ステップＳＴ４０において作成されたサンプル画像を示し、左下の「印刷物」はステップＳＴ８０において作成された印刷イメージ画像（サンプル画像の印刷イメージ画像）を示す。また、画面中央には、上から、「インク色情報の更新」、「１色プリント」、「２色プリント」の表示欄が設けられている。「インク色情報の更新」は、ユーザが孔版印刷装置１００の版胴１０３ａの色インク１及／又は版胴１０３ｂの色インク２を入れ替えたりした場合に、各種情報を更新するために使用される。また、「１色プリント」は、孔版印刷装置１００の版胴１０３ａのみを用いて１色刷り印刷を行う際に、版胴１０３ａの色インク１のインク色名を表示する。このインク色名は制御部１０４によって自動的に読み取られる。「２色プリント」は、版胴１０３ａ及び版胴１０３ｂを用いて２色刷り印刷する際に、版胴１０３ａの色インク１のインク色名（ここでは、ブラック）及び版胴１０３ｂの色インク２のインク色名（ここでは、レッド）を表示する。これらのインク色名も制御部１０４によって自動的に読み取られる。また、この例の場合、２色刷り印刷のモードの画面であるので、「製版」には「両方のドラム」が表示されている。
【００６４】
また、「分版方法」は、ステップＳＴ２０において、版胴１０３ａの色インク１のインク色情報と版胴１０３ｂの色インク２のインク色情報とに基づき、色変換ＬＵＴをどのように選択するかを設定する。「おすすめ分版（オート）」は、プリンタドライバ２４０がこれらのインク色情報から最適な色変換ＬＵＴを選択する際に使用される。一方、「マニュアル分版」は、ユーザが好みに応じて自身で色変換ＬＵＴを選択する際に使用される。
【００６５】
このように、本実施形態に係る画像表示装置２００は、版胴１０３ａ及び１０３ｂの色インク１及び色インク２のＬ*ａ*ｂ*値をそれぞれ取得して、これらのＬ＊ａ＊ｂ＊値から適切な色変換ＬＵＴを選択し、サンプル画像の雛型となるカラー画像から一組のグレースケール画像を作成する。同時に、色インク１及び色インク２のＬ*ａ*ｂ*値をそれぞれＲＧＢ色空間上のＲＧＢ値に変換し、これらのＲＧＢ値を上記一組のグレースケール画像の階調値にそれぞれ対応付けて該グレースケール画像を着色する。そして、これら着色された画像を重ね合わせて作成した印刷イメージ画像を上記一組のグレースケール画像を重ね合わせて作成したサンプル画像と共に出力部２０２のユーザインターフェース（表示部）上に表示させた。
【００６６】
これにより、本実施形態に係る画像表示装置２００では、たとえユーザの手持ちの色インクが孔版印刷装置１００に対して規格外のものであったとしても、その色合いが規格品から極端に逸脱しない限り、ユーザは、装着された色インクに基づき上記のようにして作成された印刷イメージ画像を、画像処理装置２００に予め記憶されたカラー画像から作成されたサンプル画像に対して作成された印刷イメージ画像と比較することによって、印刷物の色合いを適切に評価することができる。
【００６７】
次に、本実施形態の変形例について簡単に説明する。
【００６８】
（変形例１）
図４は、第１の実施形態に係るプリンタドライバの第１の変形例を示すブロック図である。本変形例では、プリンタドライバ２４０は、グレースケール画像作成部２４１、色変換部２４２、着色部２４３以外に、色補正部２４４を備える。
【００６９】
一般に、ＲＧＢ色空間は、Ｌ＊ａ＊ｂ＊色空間のようなデバイス非依存の表色系とは異なり、出力部２０２に使用される表示機器に依存して表示の色合いが変わってしまう。そこで、本変形例では、例えば、出力部２０２の表示特性を表す補正係数γを入力部２０１から取得し、この補正係数γに基づき、
【数６】
0003123664.tif 000008
【００７０】
と補正する色補正部２４４を備える。ここで、補正係数γは、２．２〜２．５程度の値を取る。
【００７１】
これにより、第１の実施形態のステップＳＴ８０において作成された印刷イメージ画像のＲＧＢ値（Ｒ’（ｐ（ｊ，ｋ）），Ｇ’（ｐ（ｊ，ｋ）），Ｂ’（ｐ（ｊ，ｋ）））（ｊ，ｋ＝１，．．．，Ｎ）を出力部２０２のユーザインターフェース上でほぼ遜色なく表示させることが可能となる。
【００７２】
（変形例２）
図５は、第１の実施形態に係るプリンタドライバの第２の変形例を示すブロック図である。本変形例では、プリンタドライバ２４０は、グレースケール画像作成部２４１、色変換部２４２、着色部２４３以外に、色差算出部２４５を備える。また、データ記憶部２３０に、典型的な色インク１及び色インク２のベタ印刷時のＬ＊ａ＊ｂ＊値を所定のサンプル画像と対応付けて、あるカラー画像に対する印刷イメージ画像として記憶させておく。
【００７３】
例えば、典型的な色インク１としてＬ＊ａ＊ｂ＊値（ＲＴ１＊，ＧＴ１＊，ＢＴ１＊）を有する黒インクＴ１と典型的な色インク２としてＬ＊ａ＊ｂ＊値（ＲＴ２＊，ＧＴ２＊，ＢＴ２＊）を有する赤インクＴ２に対応付けてサンプル画像１をデータ記憶部２３０に記憶させている状況を考える。
【００７４】
本変形例では、図２のフローチャートのステップＳＴ１０とステップＳＴ２０の間のステップ（これをステップＳＴ１１とする）において、色差算出部２４５は、制御部２２０が取得した色インク１及び色インク２のＬ＊ａ＊ｂ＊値（Ｌ１*，ａ１*，ｂ１*），（Ｌ２*，ａ２*，ｂ２*）とデータ記憶部２３０に予め記憶された黒インクＴ１及び赤インクＴ２のＬ＊ａ＊ｂ＊値（ＲＴ１＊，ＧＴ１＊，ＢＴ１＊），（ＲＴ２＊，ＧＴ２＊，ＢＴ２＊）との色差を、それぞれ、例えば、
【数７】
0003123664.tif 000009
【００７５】
として算出する。
【００７６】
次のステップ（これをステップＳＴ１２とする）において、プリンタドライバ２４０は、算出された色差Δ１，Δ２がそれぞれ所定の閾値ΔＴＨ１，ΔＴＨ２以内、つまり、
【数８】
0003123664.tif 000010
【００７７】
を満たす場合には、ステップＳＴ９０に移り、サンプル画像１を印刷イメージ画像として出力部２０２のユーザインターフェース上に表示させる。
【００７８】
一方、色差Δ１，Δ２がそれぞれ所定の閾値ΔＴＨ１，ΔＴＨ２より大きい、つまり、
【数９】
0003123664.tif 000011
【００７９】
を満たす場合には、ステップＳＴ２０以降の処理を行い、プリンタドライバ２４０は、ステップＳＴ８０において作成された印刷イメージ画像を、出力部２０２のユーザインターフェース上に表示させる。
【００８０】
なお、閾値ΔＴＨ１，ΔＴＨ２は異なる値に設定しても同じ値に設定してよい。これらの閾値は、例えば、予め様々な２つの色インクの組み合わせを用いて印刷物に印刷し、印刷物に印刷された各色インクをユーザの目で区別可能であるか否かに基づいて決められる。また、予め記憶させるサンプル画像は複数枚であってもよい。ここで、（式９）を満たす色インクの組が複数ある場合には、ステップＳＴ１１において、制御部２２０が取得した色インク１及び色インク２のＬ＊ａ＊ｂ＊値との色差が最も小さいＬ＊ａ＊ｂ＊値を有する色インクから作成されたサンプル画像を選択するような構成とすればよい。
【００８１】
これにより、閾値未満の色インクが装着された場合には、グレースケール画像への着色処理を行うことなく、予め記憶されたサンプル画像をそのまま表示させるので、第１の実施形態と比較して必要最低限の着色処理で済ませることが可能となる。
【００８２】
（変形例３）
図６は、第１の実施形態に係るプリンタドライバの第３の変形例を示すブロック図である。本変形例は、変形例２の変形であり、プリンタドライバ２４０は、グレースケール画像作成部２４１、色変換部２４２、着色部２４３、色差算出部２４５以外に、色分布算出部２４６を備える。また、データ記憶部２３０に、典型的な色インク１及び色インク２のベタ印刷時のＬ＊ａ＊ｂ＊値を所定のサンプル画像と対応付けて、あるカラー画像に対する印刷イメージ画像として複数枚記憶させておく。
【００８３】
本変形例では、色分布算出部２４６は、版同１０３ａ及び版同１０３ｂに色インクが装着される回数に応じて、制御部２２０によって取得される色インク１，２それぞれのＬ＊ａ＊ｂ＊値の分布を算出する。
【００８４】
たとえば、黒系の色インクと赤系の色インクの組み合わせについてのＬ＊ａ＊ｂ＊値の分布として、以下のことが行われる。黒系の色インクのＬ＊ａ＊ｂ＊値および赤系の色インクをそれぞれ、ｎ個の領域に分ける。ここで、ｎは２以上の自然数である。他の系の色インクの組み合わせについても同様に行う。制御部は、２つの色インクが装着されるごとに、各色インクがどの系の組み合わせに属するか判別し、次に、どの領域に属するか判別し、判別した領域に属する系の色インクの組み合わせの装着度数に１を加えることで、装着度数のカウントを、２つの色インクが装着されるごとに、行う。そして、制御部２２０によって取得される色インク１，２それぞれのＬ＊ａ＊ｂ＊値の分布として、上記組み合わせ（黒系の色インクと赤系の色インクの組み合わせなど）ごとに、各領域に対する装着度数（黒系の色インクのＬ＊ａ＊ｂ＊値の第１の領域と赤系の色インクのＬ＊ａ＊ｂ＊値の第１の領域範囲とに対する装着度数、黒系の色インクのＬ＊ａ＊ｂ＊値の第２の領域と赤系の色インクのＬ＊ａ＊ｂ＊値の第２の領域とに対する装着度数、・・・、黒系の色インクのＬ＊ａ＊ｂ＊値の第ｎの領域と赤系の色インクのＬ＊ａ＊ｂ＊値の第ｎの領域とに対する装着度数）の分布を算出する。
【００８５】
これに基づき、制御部２２０は、分布の度合いの低いＬ＊ａ＊ｂ＊値を有する色インクから作成されたサンプル画像を削除し、残りのサンプル画像のＬ＊ａ＊ｂ＊値と上記分布の傾向とから新たなＬ＊ａ＊ｂ＊値を算出し、算出されたＬ＊ａ＊ｂ＊値を用いて、グレースケール画像記憶部２３３に記憶されているグレーサンプル画像に着色したカラー画像を新たなサンプル画像としてデータ記憶部に記憶させる。
【００８６】
例えば、制御部２２０は、所定期間ごとに、装着度数が０（０以外の低い値でもよい）に対応する領域の色インクの組み合わせのサンプル画像が記憶されているか否かを判別し、記憶されている場合には、上記サンプル画像を削除する。そして、制御部２２０は、装着度数が高い領域を抽出し、その領域の色インクの組み合わせのサンプル画像が記憶されていない場合には、上記のようにしてサンプル画像を作成し、削除されたサンプル画像の代わりとして、上記サンプル画像を記憶させる。
【００８７】
これにより、ユーザの利用頻度に応じて使用される色インクの傾向に合わせたサンプル画像を常に記憶しておくことができる。加えて、このような構成としたことによって、変形例２の効果に加えて、予め記憶させるサンプル画像の数を最小限にすることができ、且つサンプル画像作成の手間を少なくすることができる。
【００８８】
＜第２の実施形態＞
図７は、本考案の第２の実施形態に係る画像表示装置３４０を備えた孔版印刷装置３００と、ネットワークＬを介して接続された原稿作成装置４００とを示すブロック図である。この画像印刷装置においては、ユーザは、原稿作成装置４００で多色原稿画像データ作成し、ネットワークＬを介して孔版印刷装置３００に多色原稿画像データを送信して印刷する、或いは孔版印刷装置３００の原稿読み取り部１０１で多色原稿画像を多色原稿画像データとして読み取って印刷する、の何れも可能である。
【００８９】
孔版印刷装置３００は、原稿読み取り部１０１、製版部１０２、印刷部１０３、制御部１０４、外部インターフェース部１０５、操作パネル１０６、データ記憶部３３０、画像表示装置３４０等を備えた多色印刷装置であり、印刷部１０３は異なるインク色の版胴を装着可能な第１装着部（版胴１０３ａ）と第２装着部（版胴１０３ｂ）を備える。
【００９０】
製版部１０２、印刷部１０３、制御部１０４、外部インターフェース部１０５、操作パネル１０６はそれぞれ、第１の実施形態と同一であるので説明を省略する。
【００９１】
原稿読み取り部１０１は、スキャナー等で構成され印刷すべき多色原稿画像を光学的に読み取り、スキャナーの色空間の多値画素値（ビットマップ画像データ）を出力する。
【００９２】
制御部１０４は、処理装置（ＣＰＵ）、ＲＡＭ、ＲＯＭ（図示せず）等で構成され、処理装置は、画像処理装置は各種アプリケーションプログラムをＲＡＭに読み出して各種の処理を行うことによって孔版印刷装置３００全体を制御する。
【００９３】
データ記憶部３３０は、カラー画像記憶部３３１、色変換ＬＵＴ記憶部３３２、グレースケール画像記憶部３３３等を備えている。カラー画像記憶部３３１、色変換ＬＵＴ記憶部３３２、グレースケール画像記憶部３３３はそれぞれ、第１の実施形態で説明したカラー画像記憶部２３１、色変換ＬＵＴ記憶部２３２、グレースケール画像記憶部２３３と同等であるので、詳細な説明は省略する。
【００９４】
画像表示装置３４０は、グレースケール画像作成部３４１、色変換部３４２、着色部３４３、入力部３４４、出力部３４５等を備えている。グレースケール画像作成部３４１、色変換部３４２、着色部３４３はそれぞれ、第１の実施形態で説明したグレースケール画像作成部２４１、色変換部２４２、着色部２４３と同等であるので、詳細な説明は省略する。
【００９５】
入力部３４４は、各種情報を入力するキーボード、マウス、タッチパネル等から構成される。出力部３５５は、画像データ等を含む各種データを表示する液晶パネル等のユーザインターフェース（表示部）を有する。
【００９６】
次に、上記のように構成された本実施形態に係る画像表示装置の動作手順を図８に示すフローチャートを参照して説明する。図８は、第２の実施形態に係る画像表示装置の処理手順を示すフローチャートである。
【００９７】
ユーザが、孔版印刷装置３００の印刷部１０３の版胴１０３ａ及び版胴１０３ｂにそれぞれ色インク１及び２の入ったインクボトルを装着すると処理が開始される。
【００９８】
ステップＳＴ１１０において、制御部１４０は、版胴１０３ａ及び版胴１０３ｂの色インク１及び色インク２のインク色名とＬ*ａ*ｂ*値をそれぞれ取得する。
【００９９】
この場合、制御部１０４は、印刷部１０３の第１装着部、第２装着部に装着された版胴を版胴１０３ａ，１０３ｂと認識し、色インク１及び色インク２のインク色情報を版胴１０３ａ及び版胴１０３ｂに設けた記憶手段を介して読み取る。本実施形態では、インク色情報としてインク色名とＬ＊ａ＊ｂ＊色空間におけるＬ*ａ*ｂ*値を取得する。また、印刷順序情報は第１装着部、第２装着部の順として記憶する。
【０１００】
ステップＳＴ１２０において、色変換ＬＵＴ選択部３４２は、取得した色インク１のＬ＊ａ＊ｂ＊値（Ｌ１*，ａ１*，ｂ１*）と色インク２のＬ＊ａ＊ｂ＊値（Ｌ２*，ａ２*，ｂ２*）に基づき、色変換ＬＵＴ記憶部３３２に記憶された色変換ＬＵＴの中から最適な色変換ＬＵＴを選択する。
【０１０１】
ステップＳＴ１３０において、グレースケール画像作成部３４１は、選択された色変換ＬＵＴに基づき、カラー画像記憶部３３１に記憶されたカラー画像を一組のグレースケール画像（第１グレースケール画像３３３−ａ及び第２グレースケール画像３３３−ｂに色分解する。これら第１及び第２グレースケール画像２３３−ａ，２３３−ｂはグレースケール画像記憶部３３３に記憶される。
【０１０２】
さらに、ステップＳＴ１４０において、グレースケール画像作成部３４１は、作成された第１及び第２グレースケール画像３３３−ａ，３３３−ｂを重ね合わせることによって一枚のサンプル画像を作成する。このサンプル画像は、例えば、ＲＡＭ上に一時保管される。
【０１０３】
ステップＳＴ１５０において、色変換部３４２は、ステップＳＴ１１０において取得された色インク１のＬ＊ａ＊ｂ＊値（Ｌ１*，ａ１*，ｂ１*）と色インク２のＬ＊ａ＊ｂ＊値（Ｌ２*，ａ２*，ｂ２*）を、（式１）及び（式２）を用いて、それぞれＲＧＢ値（Ｒ１，Ｇ１，Ｂ１），（Ｒ２，Ｇ２，Ｂ２）に変換する。
【０１０４】
ステップＳＴ１６０において、着色部３４３は、変換された色インク１のＲＧＢ値（Ｒ１，Ｇ１，Ｂ１）及び色インク２のＲＧＢ値（Ｒ２，Ｇ２，Ｂ２）をそれぞれ、第１及び第２グレースケール画像２３３−ａ，２３３−ｂの階調値０の画素のＲＧＢ値として設定し、（式３）及び（式４）を用いて、第１及び第２グレースケール画像２３３−ａ，２３３−ｂの階調幅（Γ（Ｒ１），Γ（Ｇ１），Γ（Ｂ１）），（Γ（Ｒ２），Γ（Ｇ２），Γ（Ｂ２））をそれぞれ算出する。
【０１０５】
次に、ステップＳＴ１７０において、着色部３４３は、ステップＳＴ１６０において算出された第１グレースケール画像３３３−ａの階調幅（Γ（Ｒ１），Γ（Ｇ１），Γ（Ｂ１））及び第２グレースケール画像３３３−ｂの階調幅（Γ（Ｒ２），Γ（Ｇ２），Γ（Ｂ２））に基づき、（式４）を用いて、第１及び第２グレースケール画像２３３−ａ，２３３−ｂのそれぞれを構成する全画素のＲＧＢ値（Ｒ１（ｐ（ｊ，ｋ）），Ｇ１（ｐ（ｊ，ｋ）），Ｂ１（ｐ（ｊ，ｋ）））（ｊ，ｋ＝１，．．．，Ｎ），（Ｒ２（ｐ（ｊ，ｋ）），Ｇ２（ｐ（ｊ，ｋ）），Ｂ２（ｐ（ｊ，ｋ）））（ｊ，ｋ＝１，．．．，Ｎ）をそれぞれ算出（着色）する。
【０１０６】
そして、着色部３４３は、第１グレースケール画像２３３−ａを構成する全画素のＲＧＢ値（Ｒ１（ｐ（ｊ，ｋ）），Ｇ１（ｐ（ｊ，ｋ）），Ｂ１（ｐ（ｊ，ｋ）））（ｊ，ｋ＝１，．．．，Ｎ）に基づき、第１グレースケール画像２３３−ａを着色する（着色画像１）。同様に、着色部２４３は、第２グレースケール画像２３３−ｂを構成する全画素のＲＧＢ値（Ｒ２（ｐ（ｊ，ｋ）），Ｇ２（ｐ（ｊ，ｋ）），Ｂ２（ｐ（ｊ，ｋ）））（ｊ，ｋ＝１，．．．，Ｎ）に基づき、第２グレースケール画像２３３−ｂに着色する（着色画像２）。
【０１０７】
さらに、ステップＳＴ１８０において、着色部４３は、上記のようにして着色された着色画像１及び着色画像２を、（式５）を用いて重ね合わせることによって、印刷イメージ画像（Ｒ’（ｐ（ｊ，ｋ）），Ｇ’（ｐ（ｊ，ｋ）），Ｂ’（ｐ（ｊ，ｋ）））（ｊ，ｋ＝１，．．．，Ｎ）を作成する。
【０１０８】
ステップＳＴ１９０において、制御部１０４は、ステップＳＴ１８０で作成された印刷イメージ画像とステップＳＴ１４０で作成されたサンプル画像を出力部３４４のユーザインターフェース（表示部）上に表示させる。
【０１０９】
その後、制御部１０４は、ステップＳＴ１８０において作成された印刷イメージ画像をピットマップデータとしてデータ記憶部３３０に保存する。これにより、再度同じ色インク１，２が版胴１０３ａ及び１０３ｂに装着された場合には、制御部１０４は、この印刷イメージ画像をデータ記憶部３３０からＲＡＭ上に単に呼び出せばよい。
【０１１０】
このように、本実施形態に係る画像表示装置３４０は孔版印刷装置３００と一体的な構成としたことによって、第１の実施形態の効果を孔版印刷装置単独で得ることが可能となる。
【０１１１】
以上、本交換の画像表示装置を２つの実施形態に基づいて説明したが、本考案はこれに限定されるものではなく、各部の構成は、同様の機能を有する任意の構成のものに置き換えることができる。
【０１１２】
例えば、上記の各実施形態では、インク色情報として、色インク１，２のインク色名とＬ＊ａ＊ｂ＊値を取得する構成としたが、各色インクの色値として、Ｌ＊ａ＊ｂ＊値の変わりに、同じくデバイス非依存の表色系であるＸＹＺ色空間の色値を取得する構成にしてもよい。その場合には、式（１）の変換が不要となるだけで、その他の構成は上記の各実施形態と同様の構成としてよい。また、例えば、デジタルカメラ等の画像データのＲＧＢ値を直接取得する構成としてもよい。その場合には、式（１）及び式（２）の変換が不要となるだけで、その他の構成は上記の各実施形態と同様の構成としてよい。
【０１１３】
さらに、上記の各実施形態では、作成された印刷イメージ画像とサンプル画像とを一括してインターフェース上に表示する構成とした（第１の実施形態におけるステップＳＴ９０、第２の実施形態におけるステップＳＴ１９０）が、この印刷イメージ画像をサンプル画像作成の雛型となるカラー画像と一緒に表示させたり、当該印刷イメージ画像を単独で表示させたりすることも可能である。
【０１１４】
さらに、上記の各実施形態では、印刷装置として孔版印刷装置を例に挙げて説明したが、その他の印刷装置に適用することも可能である。
【図面の簡単な説明】
【０１１５】
【図１】本考案の第１の実施形態に係る画像表示装置を備えた画像印刷装置の構成を示すブロック図である。
【図２】第１の実施形態に係る画像表示装置の処理手順を示すフローチャートである。
【図３】サンプル画像と最終着色画像とを表示した出力部２０２のユーザインターフェースの一例である。
【図４】第１の実施形態に係るプリンタドライバの第１の変形例を示すブロック図である。
【図５】第１の実施形態に係るプリンタドライバの第２の変形例を示すブロック図である。
【図６】図６は、第１の実施形態に係るプリンタドライバの第３の変形例を示すブロック図である。
【図７】本考案の第２の実施形態に係る画像処理装置を備えた画像印刷装置の構成を示すブロック図である。
【図８】第２の実施形態に係る画像表示装置の処理手順を示すフローチャートである。
【符号の説明】
【０１１６】
１００，３００  孔版印刷装置
１０１  原稿読み取り部
１０２  製版部
１０３  印刷部
１０３ａ  版胴
１０３ｂ  版胴
１０４  制御部
１０５  外部インターフェース部
１０６  操作パネル
２００，３４０  画像表示装置
２３０，３３０  データ記憶部
２３１，３３１  カラー画像記憶部
２３２，３３２  色変換ＬＵＴ記憶部
２３３，３３３  グレースケール画像記憶部
２４０  プリンタドライバ
２４１，３４１  グレースケール画像作成部
２４２，３４２  色変換部
２４３，３４３  着色部
２４４  γ補正部
２４５  色差算出部
２４６  色分布算出部
２０１  入力部
２０２  出力部
２１０  外部インターフェース部
２２０  制御部
２５０  プログラム記憶部
２６０  原稿作成部
４００  原稿作成装置
【図１】
0003123664.tif 000012
【図２】
0003123664.tif 000013
【図４】
0003123664.tif 000014
【図５】
0003123664.tif 000015
【図６】
0003123664.tif 000016
【図７】
0003123664.tif 000017
【図８】
0003123664.tif 000018
【図３】
0003123664.tif 000019
【手続補正書】
【提出日】平成18年5月18日(2006.5.18)
【手続補正１】
【補正対象書類名】実用新案登録請求の範囲
【補正対象項目名】全文
【補正方法】変更
【補正の内容】
【実用新案登録請求の範囲】
【請求項１】
印刷装置に装着された複数の色インクにより多色原稿画像を印刷した際の印刷物の色合いを確認するためのサンプル画像を表示する画像表示装置において、
一組のグレースケール画像を記憶するグレースケール画像記憶部と、
前記印刷装置に装着された複数の色インクの色値を取得する制御部と、
前記制御部により取得された複数の色インクの色値をＲＧＢ色空間上の色値に変換する色変換部と、
前記色変換部により変換されたＲＧＢ色空間上の色値と、前記一組のグレースケール画像を構成する各画素の階調値とに基づいて、前記一組のグレースケール画像を構成する各画素に対して着色を行うのに必要なＲＧＢ値を算出し、当該ＲＧＢ値に基づいて前記着色を行う着色部と、
前記着色された複数の前記グレースケール画像を重ね合わせた画像を前記サンプル画像として表示する表示部と、
を備えたことを特徴とする画像表示装置。
【請求項２】
前記着色部は、前記色変換部により変換されたＲＧＢ色空間上の各色値を各グレースケール画像の階調値の最小値に割り当て、前記割り当てられた各色値を前記各グレースケール画像の階調値の最大値で割ることによって階調幅を算出し、算出された階調幅と前記各グレースケール画像を構成する画素の階調値とから、前記一組のグレースケール画像を構成する各画素に対して着色を行うのに必要なＲＢＧ値を算出することを特徴とする請求項１に記載の画像表示装置。  
【請求項３】
前記制御部は、前記印刷装置に装着された複数の色インクの色値として、Ｌ＊ａ＊ｂ＊色空間、ＸＹＺ色空間、ＲＧＢ色空間のうちいずれか一つの色空間上の色値を取得することを特徴とする請求項１又は２に記載の画像表示装置。
【請求項４】
前記制御部は、前記印刷装置に装着された複数の色インクの色値を前記印刷装置に装着されたインクボトルに設けられた記憶手段から読み取ることを特徴とする請求項１乃至３のいずれかに記載の画像表示装置。
【請求項５】
前記サンプル画像の雛型となるカラー画像を記憶するカラー画像記憶部と、当該カラー画像記憶部に記憶されたカラー画像から前記一組のグレーサンプル画像を作成するグレースケール画像作成部とをさらに備えたことを特徴とする請求項１乃至４のいずれか一つに記載の画像表示装置。
【請求項６】
前記グレースケール画像作成部は、前記印刷装置に装着された複数の色インクに対応した色変換ＬＵＴを参照して前記一組のグレースケール画像を生成することを特徴とする請求項５に記載の画像表示装置。
【手続補正３】
【補正対象書類名】明細書
【補正対象項目名】０００１
【補正方法】変更
【補正の内容】
【０００１】
本考案は、多色印刷機のプリンタドライバのユーザインターフェース上にサンプル画像を表示する画像表示装置に関する。
【手続補正４】
【補正対象書類名】明細書
【補正対象項目名】０００７
【補正方法】変更
【補正の内容】
【０００７】
本考案は、上記の課題を鑑みて為されたものであり、その目的は、使用する色インクの種類や数に変更が生じた場合であっても、予め用意された少数のカラー画像からサンプル画像を作成することによって、実際の印刷物の色合いに近い印刷イメージ画像をユーザに提示することを可能とする画像表示装置を提供することにある。
【手続補正５】
【補正対象書類名】明細書
【補正対象項目名】００１４
【補正方法】削除
【補正の内容】
【手続補正６】
【補正対象書類名】明細書
【補正対象項目名】０１１５
【補正方法】変更
【補正の内容】
【０１１５】
【図１】本考案の第１の実施形態に係る画像表示装置を備えた画像印刷装置の構成を示すブロック図である。
【図２】第１の実施形態に係る画像表示装置の処理手順を示すフローチャートである。
【図３】サンプル画像と最終着色画像とを表示した出力部２０２のユーザインターフェースの一例である。
【図４】第１の実施形態に係るプリンタドライバの第１の変形例を示すブロック図である。
【図５】第１の実施形態に係るプリンタドライバの第２の変形例を示すブロック図である。
【図６】図６は、第１の実施形態に係るプリンタドライバの第３の変形例を示すブロック図である。
【図７】本考案の第２の実施形態に係る画像表示装置を備えた画像印刷装置の構成を示すブロック図である。
【図８】第２の実施形態に係る画像表示装置の処理手順を示すフローチャートである。